(57)【要約】【課題】持ち上げ易くて、取り外し動作の際に指を挟む心配もないマンホール等を提供すること。【解決手段】マンホール１が、貫通孔３を有する板状の蓋２、蓋２の裏側に配置されて、蓋２のＺ方向に略一致する方向に延在する中心軸に対して回動可能であるワイヤー巻取体２４、ワイヤー巻取体２４の第１外周面に一方側が巻回された第１ワイヤー４１、ワイヤー巻取体２４の第２外周面に一方側が巻回された第２ワイヤー４２、及び、蓋２の裏面側に配置され、第１ワイヤー４１の他方側から第１力が付与されるとＹ方向一方側に移動する一方、第２ワイヤー４２の他方側から第２力が付与されるとＹ方向他方側に移動するローラ４３を備える。蓋２が、厚さがＹ方向一方側に行くにしたがって大きくなる肉厚変動部を有し、ローラ４３が、第１力又は第２力が付与されると、Ｙ方向から見たときに肉厚変動部に重なる重なり位置をＹ方向に移動する。【選択図】図１
2020111407.tif 000002
【特許請求の範囲】
【請求項１】
治具の先端側を表側から挿通するための貫通孔を有する板状の蓋と、
前記蓋の裏側に配置されて、前記蓋の厚さ方向に略一致する方向に延在する中心軸に対して回動可能であり、前記貫通孔に挿通された前記先端側からトルクが付与されるトルク付与部、第１外周面、及び前記第１外周面と前記厚さ方向の位置が異なる第２外周面を有するワイヤー巻取体と、
前記第１外周面に一方側が巻回された第１ワイヤーと、
前記第２外周面に一方側が巻回された第２ワイヤーと、
前記蓋の裏側に配置され、前記第１ワイヤーの他方側から第１力が付与されると一方向の一方側に移動する一方、前記第２ワイヤーの他方側から第２力が付与されると前記一方向の他方側に移動する移動体と、を備え、
前記蓋が、厚さが前記一方向の一方側に行くにしたがって大きくなる肉厚変動部を有し、
前記移動体は、前記第１力又は前記第２力が付与されると、前記厚さ方向から見たときに前記肉厚変動部に重なる重なり位置を前記一方向に移動する、マンホール。
【請求項２】
前記移動体が、円筒外周面を有して回転可能なローラである、請求項１に記載のマンホール。
【請求項３】
前記ローラは、円筒孔を有する円筒形状を有し、
前記ローラの前記円筒孔内に配置される部分を有して、前記円筒孔の中心軸に沿うように延在し、第１端部と第２端部とを有する軸部と、
前記第１端部に繋がる第３端部と、前記第２端部に繋がる第４端部とを有して、前記裏側を前記厚さ方向から見たとき、前記ローラの前記一方向の一方側を前記ローラに間隔をおいた状態で囲むように配置される第１ワイヤー固定部と、
前記第１端部に繋がる第５端部と、前記第２端部に繋がる第６端部とを有して、前記裏側を前記厚さ方向から見たとき、前記ローラの前記一方向の他方側を前記ローラに間隔をおいた状態で囲むように配置される第２ワイヤー固定部と、を備え、
前記ローラは、前記軸部に対して回動可能になっており、
前記第１ワイヤーの他方側が前記第１ワイヤー固定部に固定され、前記第２ワイヤーの他方側が前記第２ワイヤー固定部に固定されている、請求項２に記載のマンホール。
【請求項４】
前記蓋が、前記移動体が前記一方向に移動するようにガイドするガイドレールを裏側に有する、請求項１乃至３のいずれか１つに記載のマンホール。
【請求項５】
前記ワイヤー巻取体が、前記厚さ方向における前記第１外周面と前記第２外周面との間に径方向の外方側に突出するフランジ部を有する、請求項１乃至４のいずれか１つに記載のマンホール。
【請求項６】
前記裏側に配置されて、前記厚さ方向に略一致する方向に延在する中心軸に対して回動可能であり、前記第１ワイヤーが接触している第３外周面を有する第１プーリと、前記裏側に配置されて、前記厚さ方向に略一致する方向に延在する中心軸に対して回動可能であり、前記第２ワイヤーが接触している第４外周面を有する第２プーリのうちの少なくとも一方を備える、請求項１乃至５のいずれか１つに記載のマンホール。
【請求項７】
請求項１乃至６のいずれか１つに記載のマンホールと、
開口の縁の少なくとも一部に沿うように前記一方向に延在し、前記マンホールの前記移動体が接触することで前記移動体に上側の力を付与するマンホール支持面を有する乗客コンベア本体と、
を備える、乗客コンベア。
【請求項８】
マンホールと、開口の縁の少なくとも一部に沿うように延在して前記マンホールを支持するマンホール支持面を有する乗客コンベア本体とを備える乗客コンベアであって、
前記マンホールは、
治具の先端側を表側から挿通するための貫通孔を有する板状の蓋と、
前記蓋の裏側に配置されて前記蓋の厚さ方向に略一致する方向に延在する中心軸に対して回動可能であり、前記貫通孔に挿通された前記先端側からトルクが付与されるトルク付与部、第１外周面、及び前記第１外周面と前記厚さ方向の位置が異なる第２外周面を有するワイヤー巻取体と、
前記第１外周面に一方側が巻回された第１ワイヤーと、
前記第２外周面に一方側が巻回された第２ワイヤーと、
前記蓋の裏側に配置され、前記第１ワイヤーの他方側から第１力が付与されると一方向の一方側に移動する一方、前記第２ワイヤーの他方側から第２力が付与されると前記一方向の他方側に移動する移動体と、を有し、
前記マンホール支持面は、前記一方向に延在して前記一方向の一方側に行くにしたがって上側に移動する傾斜面部を有し、
前記移動体は、前記第１力又は前記第２力が付与されると、前記厚さ方向から見たときに前記傾斜面部に重なる重なり位置を前記一方向に移動する、乗客コンベア。
【請求項９】
把手と、
一方側が前記把手に繋がると共に、他方側に雄ねじを有する軸部と、
前記軸部における前記他方側の先端部から互いに間隔をおいて前記軸部の延在方向に突出する複数の柱状部と
を備える、治具。
【請求項１０】
請求項１乃至６のいずれか１つに記載のマンホールと、
請求項９に記載の治具と、を備え、
前記マンホールの前記貫通孔は、雌ねじを有し、
前記トルク付与部は、前記ワイヤー巻取体の前記厚さ方向の前記表側に設けられて前記複数の柱状部が挿入される複数の柱状部挿入孔を含み、
前記柱状部の先端の前記厚さ方向の位置が前記柱状部挿入孔の開口の前記厚さ方向の位置と一致している状態で、前記治具の前記雄ねじが前記雌ねじに前記厚さ方向に間隔をおいて位置する、マンホール取外構造。
【請求項１１】
請求項１乃至６のいずれか１つに記載のマンホールと、
請求項９に記載の治具と、
前記マンホールの前記蓋の裏面から前記裏側に突出すると共に、前記貫通孔に繋がって前記厚さ方向に延在する巻取体側貫通孔を有する突出部と、を備え、
前記巻取体貫通孔は、雌ねじを有し、
前記トルク付与部は、前記ワイヤー巻取体の前記厚さ方向の前記表側に設けられて前記複数の柱状部が挿入される複数の柱状部挿入孔を含み、
前記柱状部の先端の前記厚さ方向の位置が前記柱状部挿入孔の開口の前記厚さ方向の位置と一致している状態で、前記治具の前記雄ねじが前記雌ねじに前記厚さ方向に間隔をおいて位置する、マンホール取外構造。
【発明の詳細な説明】
【技術分野】
【０００１】
本開示は、マンホールに関し、例えば、乗客コンベアに用いられるマンホールに関する。また、本開示は、乗客コンベア、例えば、エスカレーターや動く歩道（踏み面が階段状にならない水平型エスカレーター）に関する。また、本開示は、マンホールを持ち上げる際に使用できる治具に関する。また、本開示は、そのような治具とマンホールとを備えるマンホール取外構造に関する。
【背景技術】
【０００２】
特許文献１に記載されているように、エスカレーターは、トラスに出入りするための開口を有するエスカレーター本体と、エスカレーターの通常運転時にその開口を塞ぐマンホールを備える。
【先行技術文献】
【特許文献】
【０００３】
【特許文献１】特開２０１７−０５７０６５号公報
【発明の概要】
【発明が解決しようとする課題】
【０００４】
マンホールは、例えば、次に示す構造を有し、次に示す方法でエスカレーター本体から取り外される。すなわち、マンホールは、雌ねじを有する孔を含み、マンホールの着脱用の治具は、雄ねじを先端側に有する軸部を有する。作業員等が、治具の雄ねじをマンホールの雌ねじに螺合して係止した状態で治具の把手を持ち上げることで、マンホールが上側に持ち上げられ、マンホールがエスカレーター本体から取り外される。
【０００５】
そのような治具を用いたマンホールの取り外しには、次の問題が存在する。すなわち、マンホールは、１０ｋｇ〜２０ｋｇ程度の重さを有する重量物であるため、持ち上げにくく、持ち上げるのに大きな労力を有する。更には、マンホールが持ち上げられた状態で落下した場合、足の指や他の作業員の手の指をマンホールに挟む虞もある。
【０００６】
そこで、本開示の目的は、持ち上げ易くて、取り外し動作の際に指を挟む心配もないマンホール、及びそのようなマンホールを備える乗客コンベアを提供することにある。また、本開示の目的は、そのようなマンホールを取り外す際に使用できる治具を提供することにあり、そのような取り外しが可能なマンホール取外構造を提供することにある。
【課題を解決するための手段】
【０００７】
上記課題を解決するため、本開示に係るマンホールは、治具の先端側を表側から挿通するための貫通孔を有する板状の蓋と、前記蓋の裏側に配置されて、前記蓋の厚さ方向に略一致する方向に延在する中心軸に対して回動可能であり、前記貫通孔に挿通された前記先端側からトルクが付与されるトルク付与部、第１外周面、及び前記第１外周面と前記厚さ方向の位置が異なる第２外周面を有するワイヤー巻取体と、前記第１外周面に一方側が巻回された第１ワイヤーと、前記第２外周面に一方側が巻回された第２ワイヤーと、前記蓋の裏側に配置され、前記第１ワイヤーの他方側から第１力が付与されると一方向の一方側に移動する一方、前記第２ワイヤーの他方側から第２力が付与されると前記一方向の他方側に移動する移動体と、を備え、前記蓋が、厚さが前記一方向の一方側に行くにしたがって大きくなる肉厚変動部を有し、前記移動体は、前記第１力又は前記第２力が付与されると、前記厚さ方向から見たときに前記肉厚変動部に重なる重なり位置を前記一方向に移動する。
【０００８】
なお、本明細書では、上記「前記移動体は、前記第１力又は前記第２力が付与されると、前記厚さ方向から見たときに前記肉厚変動部に重なる重なり位置を前記一方向に移動する」という要件は、移動体が、重なり位置の少なくとも一部を一方向に移動すれば満たされるものとする。よって、移動体の移動箇所に重なり位置でない箇所が含まれなくてもよく、含まれてもよい。
【０００９】
本開示によれば、治具の先端側からワイヤー巻取体のトルク付与部にトルクを付与することができ、そのトルクの付与で、ワイヤー巻取体を周方向における一方側又は他方側に選択的に回転させることができる。そして、ワイヤー巻取体の回転に起因する第１ワイヤーの巻取で移動体に第１力を付与でき、移動体を、重なり位置を肉厚変動部の肉厚が大きくなる方向に移動させることができる。したがって、この移動により、肉厚変動部を上側に押し上げることができて、蓋を浮上させることができると共に、蓋の下側に隙間を生成できる。よって、マンホールを持ち上げ易くて、マンホールの取り外し動作の際に指を挟む心配もない。
【００１０】
また、本開示のマンホールにおいて、前記移動体は、円筒外周面を有して回転可能なローラでもよい。
【００１１】
上記構成によれば、移動体を回転させることで、移動体を、重なり位置を一方向に円滑に移動させることができる。よって、付与するトルクが小さくても、移動体を移動させることができ、マンホールの取り外しを、労力を使わずに容易に実行できる。
【００１２】
また、本開示のマンホールにおいて、ローラは、円筒孔を有する円筒形状を有し、前記ローラの前記円筒孔内に配置される部分を有して、前記円筒孔の中心軸に沿うように延在し、第１端部と第２端部とを有する軸部と、前記第１端部に繋がる第３端部と、前記第２端部に繋がる第４端部とを有して、前記裏側を前記厚さ方向から見たとき、前記ローラの前記一方向の一方側を前記ローラに間隔をおいた状態で囲むように配置される第１ワイヤー固定部と、前記第１端部に繋がる第５端部と、前記第２端部に繋がる第６端部とを有して、前記裏側を前記厚さ方向から見たとき、前記ローラの前記一方向の他方側を前記ローラに間隔をおいた状態で囲むように配置される第２ワイヤー固定部と、を備え、前記ローラは、前記軸部に対して回動可能になっており、前記第１ワイヤーの他方側が前記第１ワイヤー固定部に固定され、前記第２ワイヤーの他方側が前記第２ワイヤー固定部に固定されてもよい。
【００１３】
上記構成によれば、移動体を円滑に移動させることができるだけでなく、第１ワイヤー及び第２ワイヤーで移動体に第１力及び第２力を付与する構造を簡単安価に実現できる。
【００１４】
また、本開示のマンホールにおいて、前記蓋が、前記移動体が前記一方向に移動するようにガイドするガイドレールを裏側に有してもよい。
【００１５】
上記構成によれば、移動体が移動する際の挙動を安定させることができ、移動体を一方向に円滑に移動させることができる。よって、マンホールの取り外しを、労力を使わずに容易に実行できる。
【００１６】
また、本開示のマンホールにおいて、前記ワイヤー巻取体が、前記厚さ方向における前記第１外周面と前記第２外周面との間に径方向の外方側に突出するフランジ部を有してもよい。
【００１７】
上記構成によれば、フランジ部で第１外周面と第２外周面との間を区切ることができ、第１外周面と第２外周面を分離することができる。よって、第１ワイヤーと第２ワイヤーの一方をワイヤー巻取体に巻き取り、第１ワイヤーと第２ワイヤーの他方をワイヤー巻取体から引き出す際に、第１ワイヤーと第２ワイヤーが絡まることを抑制できるか、又は防止できる。
【００１８】
また、本開示のマンホールにおいて、前記裏側に配置されて、前記厚さ方向に略一致する方向に延在する中心軸に対して回動可能であり、前記第１ワイヤーが接触している第３外周面を有する第１プーリと、前記裏側に配置されて、前記厚さ方向に略一致する方向に延在する中心軸に対して回動可能であり、前記第２ワイヤーが接触している第４外周面を有する第２プーリのうちの少なくとも一方を備えてもよい。
【００１９】
上記構成によれば、第１ワイヤーに負担を掛けずに、第１ワイヤーでワイヤー巻取体と移動体の周辺を繋ぐことと、第２ワイヤーに負担を掛けずに、第２ワイヤーでワイヤー巻取体と移動体の周辺を繋ぐことの少なくとも一方を実現できる。そして、第１ワイヤーと第２ワイヤーのうちの少なくとも一方の耐久性を向上させることができる。
【００２０】
また、本開示に係る乗客コンベアは、本開示に係るマンホールと、開口の縁の少なくとも一部に沿うように前記一方向に延在し、前記マンホールの移動体が接触することで前記移動体に上側の力を付与するマンホール支持面を有する乗客コンベア本体と、を備える。
【００２１】
本開示によれば、マンホールを持ち上げ易くて、マンホールの取り外し動作の際に指を挟む心配もない乗客コンベアを実現できる。
【００２２】
また、本開示に係る別の態様の乗客コンベアは、マンホールと、開口の縁の少なくとも一部に沿うように延在して前記マンホールを支持するマンホール支持面を有する乗客コンベア本体とを備える乗客コンベアであって、前記マンホールは、治具の先端側を表側から挿通するための貫通孔を有する板状の蓋と、前記蓋の裏側に配置されて前記蓋の厚さ方向に略一致する方向に延在する中心軸に対して回動可能であり、前記貫通孔に挿通された前記先端側からトルクが付与されるトルク付与部、第１外周面、及び前記第１外周面と前記厚さ方向の位置が異なる第２外周面を有するワイヤー巻取体と、前記第１外周面に一方側が巻回された第１ワイヤーと、前記第２外周面に一方側が巻回された第２ワイヤーと、前記蓋の裏側に配置され、前記第１ワイヤーの他方側から第１力が付与されると一方向の一方側に移動する一方、前記第２ワイヤーの他方側から第２力が付与されると前記一方向の他方側に移動する移動体と、を有し、前記マンホール支持面は、前記一方向に延在して前記一方向の一方側に行くにしたがって上側に移動する傾斜面部を有し、前記移動体は、前記第１力又は前記第２力が付与されると、前記厚さ方向から見たときに前記傾斜面部に重なる重なり位置を前記一方向に移動する。
【００２３】
なお、本明細書では、上記「前記移動体は、前記第１力又は前記第２力が付与されると、前記厚さ方向から見たときに前記傾斜面部に重なる重なり位置を前記一方向に移動する」という要件は、移動体が、重なり位置の少なくとも一部を一方向に移動すれば満たされるものとする。よって、移動体の移動箇所に重なり位置でない箇所が含まれなくてもよく、含まれてもよい。
【００２４】
移動体が一方向の一方側に移動する際にマンホールを浮上させる傾斜面は、マンホールでなくて、乗客コンベア本体においてマンホールを支えるマンホール支持面に存在してもよい。
【００２５】
本開示によれば、乗客コンベア本体においてマンホールを支えるマンホール支持面が、一方向の一方側に行くにしたがって上側に移動する傾斜面部を有し、移動体が、マンホールの厚さ方向から見たときに傾斜面部に重なる重なり位置を移動できる。したがって、移動体の移動でマンホールを上側に押し上げることができ、マンホールを浮上させることができる。
【００２６】
また、本開示に係る治具は、把手と、一方側が前記把手に繋がると共に、他方側に雄ねじを有する軸部と、前記軸部における前記他方側の先端部から互いに間隔をおいて前記軸部の延在方向に突出する複数の柱状部とを備える。
【００２７】
本開示において、複数の柱状部を用いてマンホールのトルク付与部にトルクを付与するようにする。本開示によれば、マンホールにトルクを付与できる治具を簡単安価に形成できる。
【００２８】
また、本開示に係るマンホール取外構造は、本開示に係るマンホールと、本開示に係る治具と、を備え、前記マンホールの前記貫通孔は、雌ねじを有し、前記トルク付与部は、前記ワイヤー巻取体の前記厚さ方向の前記表側に設けられて前記複数の柱状部が挿入される複数の柱状部挿入孔を含み、前記柱状部の先端の前記厚さ方向の位置が前記柱状部挿入孔の開口の前記厚さ方向の位置と一致している状態で、前記治具の前記雄ねじが前記雌ねじに前記厚さ方向に間隔をおいて位置する。
【００２９】
本開示によれば、柱状部を柱状部挿入孔に挿入した後に、治具の雄ねじを雌ねじに螺合させることができる。したがって、柱状部が柱状部挿入孔にうまく入らないことを防止でき、複数の柱状部をトルク付与部に容易に接続できる。
【００３０】
また、本開示に係るマンホール取外構造は、本開示に係るマンホールと、本開示に係る治具と、前記マンホールの前記蓋の裏面から前記裏側に突出すると共に、前記貫通孔に繋がって前記厚さ方向に延在する巻取体側貫通孔を有する突出部と、を備え、前記巻取体貫通孔は、雌ねじを有し、前記トルク付与部は、前記ワイヤー巻取体の前記厚さ方向の前記表側に設けられて前記複数の柱状部が挿入される複数の柱状部挿入孔を含み、前記柱状部の先端の前記厚さ方向の位置が前記柱状部挿入孔の開口の前記厚さ方向の位置と一致している状態で、前記治具の雄ねじが前記雌ねじに前記厚さ方向に間隔をおいて位置する。
【００３１】
本開示によれば、例えば、マンホールの裏側にナットを接合することで、雌ねじを含む巻取体側貫通孔を有する突出部を簡単安価に形成できる。したがって、トルク付与部と雌ねじとの厚さ方向距離を、簡単安価に調整できる。
【発明の効果】
【００３２】
本開示によれば、持ち上げ易くて、取り外し動作の際に指を挟む心配もないマンホール等を実現できる。
【図面の簡単な説明】
【００３３】
【図１】乗客コンベアにおいてトラスに出入りする開口を開閉するためのマンホールの裏側を見たときの模式図である。
【図２】図１のＡ−Ａ線断面図であり、ワイヤー巻取体の構造を説明する模式断面図である。
【図３】ローラ保持具に保持されたローラを、ローラの中心軸を含む平面で切断したときの模式断面図である。
【図４】乗客コンベア本体においてトラスへ出入りするための開口の周辺を鉛直方向上方から見たときの平面図である。
【図５】図４のＥ‐Ｅ線模式断面図である。
【図６】図１のＢ‐Ｂ線断面図であり、マンホールの厚さ方向と幅方向を含む平面に平行であってローラの中心を通過する切断面における断面図である。
【図７】治具の正面図である。
【図８】変形例のマンホールの一部を、厚さ方向を含む平面で切断したときの模式断面図である。
【発明を実施するための形態】
【００３４】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。
【００３５】
また、以下の説明及び図面において、Ｘ方向は、乗客コンベア７０、より詳しくは、エスカレーターや動く歩道で用いられて平面視が略矩形となっているマンホール１の長手方向を示し、Ｙ方向は、マンホールの幅方向を示し、Ｚ方向は、マンホール１の厚さ方向を示す。Ｘ方向、Ｙ方向、及びＺ方向は、互いに直交する。マンホール１が乗客コンベア７０の所定位置に配置されている状態において、Ｘ方向は、乗客コンベア７０の幅方向に一致し、Ｚ方向は、乗客コンベア７０の高さ方向に一致する。また、Ｙ方向は、一方向に一致する。
【００３６】
また、以下で説明される構成要素のうち、最上位概念を示す独立請求項に記載されていない構成要素については、任意の構成要素であり、必須の構成要素ではない。また、本実施例では、マンホール１が、乗客コンベア７０のトラスに出入りするための開口を塞ぐ場合について説明する。しかし、マンホールは、如何なる用途で用いられるものでもよい。
【００３７】
図１は、乗客コンベア７０（図４参照）においてトラスに出入りする開口を開閉するためのマンホール１の裏側を見たときの模式図である。図１に示すように、マンホール１は、板状の蓋２、ワイヤー巻取構造２０、第１ワイヤー４１、第２ワイヤー４２、及び移動体の一例としてのローラ４３、ローラ保持具４５、第１プーリ４６、及び第２プーリ４７を備える。なお、図１では、第１ワイヤー４１と、第２ワイヤー４２を区別し易いように、第１ワイヤー４１を実線で示し、第２ワイヤー４２を点線で示している。
【００３８】
マンホール１は、平面視が略矩形の形状を有し、乗客コンベア７０の乗降口周辺に設けられるトラスへの出入口を塞ぐ役割を果たす。図１に示すように、ワイヤー巻取構造２０は、蓋２の裏側におけるＸ方向一方側に配置される一方、ローラ４３は、ローラ保持具４５に保持された状態でＸ方向他方側に配置される。ローラ４３は、円筒外周面を有し、ローラ保持具４５は、ローラ４３を取り囲むように配置される枠状部５２を有する。
【００３９】
後で、図２を用いて詳細に説明するが、ワイヤー巻取構造２０は、蓋２の厚さ方向位置が互いに異なる第１外周面及び第２外周面を有する。第１ワイヤー４１の一方側は、第１外周面に巻回される。第１ワイヤー４１は、ワイヤー巻取構造２０から第１プーリ４６を経由してローラ保持具４５まで延び、第１ワイヤー４１の他方側は、ローラ保持具４５の一方向（Ｙ方向に一致）の一方側に位置する第１ワイヤー固定部４５ａに固定される。第１ワイヤー４１は、第１プーリ４６の外周面の一部に接触し、第１プーリ４６で延在方向を変えられる。本実施例では、第１ワイヤー４１においてワイヤー巻取構造２０から第１プーリ４６まで延在する部分は、ピンと張った状態で直線上を延在し、Ｘ方向一方側にいくにしたがってＹ方向一方側に移動する。他方、第１ワイヤー４１において第１プーリ４６からローラ保持具４５まで延在する部分は、ピンと張った状態で直線上をＹ方向に延在する。
【００４０】
第２ワイヤー４２の一方側は、第２外周面に巻回される。第２ワイヤー４２は、ワイヤー巻取構造２０から第２プーリ４７を経由してローラ保持具４５まで延び、第２ワイヤー４２の他方側は、ローラ保持具４５の一方向の他方側に位置する第２ワイヤー固定部４５ｂに固定される。第２ワイヤー４２は、第２プーリ４７の外周面の一部に接触し、第２プーリ４７で延在方向を変えられる。本実施例では、第２ワイヤー４２においてワイヤー巻取構造２０から第２プーリ４７まで延在する部分は、ピンと張った状態で直線上をＸ方向一方側にいくにしたがってＹ方向他方側に移動する。他方、第２ワイヤー４２において第２プーリ４７からローラ保持具４５まで延在する部分は、ピンと張った状態で直線上をＹ方向に延在する。
【００４１】
図２は、図１のＡ−Ａ線断面図であり、ワイヤー巻取構造２０の構造を説明する模式断面図である。図２に示すように、蓋２の裏側におけるワイヤー巻取構造２０の周辺箇所には、回転体配置室２１が設けられる。回転体配置室２１は、Ｙ方向に延在し、Ｙ方向の両側が開口する。詳しくは、ワイヤー巻取構造２０は、ＹＺ平面に略平行に広がる一対の側壁部２１ａ,２１ｂと、ＸＹ方向に略平行に広がる底板部２１ｃを含み、一対の側壁部２１ａ,２１ｂ及び底板部２１ｃの夫々は、板形状を有する。回転体配置室２１は、一対の側壁部２１ａ,２１ｂと、底板部２１ｃとで画定される。一対の側壁部２１ａ,２１ｂの夫々は、蓋２の裏面からＺ方向裏側に延在する。一対の側壁部２１ａ,２１ｂは、間隔をおいてＸ方向に対向し、底板部２１ｃは、一方の側壁部２１ａの下側端部と他方の側壁部２１ｂの下側端部を連結する。
【００４２】
蓋２は、それをＺ方向に貫通する貫通孔３を有し、貫通孔３のＺ方向の少なくとも一部分には、雌ねじ３ａが設けられている。ワイヤー巻取構造２０は、更に、軸部２２、転がり軸受２３、ワイヤー巻取体２４を含む。軸部２２は、丸棒形状を有し、蓋２のＺ方向から見たときに貫通孔３に重なる箇所に配置され、底板部２１ｃの上面からＺ方向に延在する。蓋２、一対の側壁部２１ａ,２１ｂ、底板部２１ｃ、及び軸部２２は、金属材料で一体に構成されることができる。
【００４３】
ワイヤー巻取体２４は、円筒内周面部２５を有し、底板部２１ｃにＺ方向に間隔をおいて位置する。また、転がり軸受２３は、ワイヤー巻取体２４の円筒内周面部２５と軸部２２の円筒外周面２６との間に配置される。また、ワイヤー巻取体２４は、円筒外周面部２７を有し、Ｚ方向の略中間位置に径方向外方に突出する円板状のフランジ部２９を有する。円筒外周面部２７においてフランジ部２９よりもＺ方向の蓋２側の部分は、第１外周面２７ａを構成し、円筒外周面部２７においてフランジ部２９よりもＺ方向の蓋２側とは反対側の部分は、第２外周面２７ｂを構成する。
【００４４】
ワイヤー巻取体２４は、Ｚ方向の蓋２側にトルク付与部２８を有する。本実施例では、トルク付与部２８は、蓋部で構成され、トルク付与部２８は、それをＺ方向に貫通する二つの貫通孔２８ａ,２８ｂを含む。各貫通孔２８ａ,２８ｂは、柱状部挿入孔を構成する。Ｚ方向から見たとき、各貫通孔２８ａ,２８ｂは、蓋２の貫通孔３に重なる。なお、ワイヤー巻取構造２０の構造に関し、図１では、ワイヤー巻取体２４のみを図示し、ワイヤー巻取体２４以外の構造の図示を省略している。図１に示すように、各貫通孔２８ａ,２８ｂの開口は、例えば半円形状を有してもよい。再度、図２を参照して、転がり軸受２３は、ワイヤー巻取体２４を軸部２２に対して回動自在に支持する。換言すれば、ワイヤー巻取体２４は、軸部２２に対して回動自在になっている。第１ワイヤー４１の一方側は、第１外周面２７ａに巻回され、第２ワイヤー４２の一方側は、第２外周面２７ｂに巻回されている。
【００４５】
ワイヤー巻取体２４が周方向の一方側に回動すれば、第１ワイヤー４１がワイヤー巻取体２４に巻き取られる一方、第２ワイヤー４２がワイヤー巻取体２４から引き出されるようになっている。また、逆に、ワイヤー巻取体２４が周方向の他方側に回動すれば、第１ワイヤー４１がワイヤー巻取体２４から引き出される一方、第２ワイヤー４２がワイヤー巻取体２４に巻き取られるようになっている。なお、詳述しないが、第１プーリ４６と第２プーリ４７もワイヤー巻取体２４と同じような転がり軸受を用いた構造でＺ方向に延在する軸部に対して回転自在となっている。
【００４６】
次に、ローラ４３及びローラ保持具４５の構造について説明する。図３は、ローラ保持具４５に保持されたローラ４３を、ローラ４３の中心軸を含む平面で切断したときの模式断面図である。図３に示すように、ローラ４３は、円筒形状を有し、円筒外周面４３ａと円筒内周面４３ｂを含む。また、ローラ保持具４５は、転がり軸受５０、軸部５１、及び枠状部５２を含む。軸部５１は、丸棒形状を有し、ローラ４３の貫通孔内に挿通される。また、転がり軸受５０は、軸部５１の円筒外周面５１ａとローラ４３の円筒内周面４３ｂとの間に配置される。また、枠状部５２は、軸部５１と一体に構成され、第１枠状部５５と第２枠状部６０を含む。
【００４７】
図３に示す断面において、第１枠状部５５は、コ字形状を有する。第１枠状部５５は、一対のＹ方向に延在する棒状部５６ａ,５６ｂと、Ｘ方向に延在する棒状部５６ｃを含む。一対の棒状部５６ａ,５６ｂは、間隔をおいてＹ方向に対向し、棒状部５６ｃは、一方の棒状部５６ａの先端部と他方の棒状部５６ｂの先端部を連結する。第１枠状部５５の一方側端部５５ａは軸部５１の一方側端部５１ｂに繋がり、第１枠状部５５の他方側端部５５ｂは軸部５１の他方側端部５１ｃに繋がる。第１枠状部５５は、ローラ４３に間隔をおいて位置し、ローラ４３のＹ方向一方側を囲むように配置される。
【００４８】
また、同様に、第２枠状部６０は、一対のＹ方向に延在する棒状部６１ａ,６１ｂと、Ｘ方向に延在する棒状部６１ｃを含む。一対の棒状部６１ａ,６１ｂは、間隔をおいてＹ方向に対向し、棒状部６１ｃは、一方の棒状部６１ａの先端部と他方の棒状部６１ｂの先端部を連結する。第２枠状部６０の一方側端部６０ａは軸部５１の一方側端部５１ｂに繋がり、第２枠状部６０の他方側端部６０ｂは軸部５１の他方側端部５１ｃに繋がる。第２枠状部６０は、ローラ４３に間隔をおいて位置し、ローラ４３のＹ方向他方側を囲むように配置される。第１ワイヤー４１は、棒状部５６ｃに括り付けられ、第２ワイヤー４２は、棒状部６１ｃに括り付けられる。なお、ローラ４３は、第１ワイヤー４１及び第２ワイヤー４２の張力により、蓋２から所定距離以上離れることがなく、蓋２に対して宙ぶらりんにぶら下がる状態になることはない。
【００４９】
第１枠状部５５は、第１ワイヤー固定部の一例であり、第２枠状部６０は、第２ワイヤー固定部の一例である。また、軸部５１の一方側端部５１ｂは、第１端部を構成し、軸部５１の他方側端部５１ｃは、第２端部を構成する。また、第１枠状部５５の一方側端部５５ａは、第３端部を構成し、第１枠状部５５の他方側端部５５ｂは、第４端部を構成する。また、第２枠状部６０の一方側端部６０ａは、第５端部を構成し、第２枠状部６０の他方側端部６０ｂは、第６端部を構成する。
【００５０】
再度、図１を参照して、蓋２の裏側５には、一対のガイドレール７ａ,７ｂが設けられる。各ガイドレール７ａ,７ｂは、突条（レール状）の形状を有する。各ガイドレール７ａ,７ｂは、蓋２の裏面からＺ方向裏側に突出し、Ｙ方向に延在する。ガイドレール７ａ及びガイドレール７ｂは、間隔をおいてＸ方向に対向する。枠状部５２は、Ｚ方向から見たときの平面視において略矩形の外縁を有し、Ｘ方向に間隔をおいて位置してＹ方向に延在する一対の外縁部５２ａ,５２ｂを含む。
【００５１】
一方の外縁部５２ａは、一方のガイドレール７ａにおける他方のガイドレール７ｂ側の面９ａに接触するか僅かな隙間を介してＸ方向に対向する。また、他方の外縁部５２ｂは、他方のガイドレール７ｂにおける一方のガイドレール７ａ側の面９ｂに接触するか僅かな隙間を介してＸ方向に対向する。
【００５２】
図４は、乗客コンベア７０においてトラスへ出入りするための開口７２の周辺を鉛直方向上方から見たときの平面図であり、図５は、図４のＥ‐Ｅ線模式断面図である。図４及び図５に示すように、乗客コンベア７０の乗客コンベア本体７１は、開口７２と、マンホール支持面７３を有する。マンホール支持面７３は、開口７２の縁７２ａの少なくとも一部に沿うように延在する。本実施例では、マンホール支持面７３は、開口７２のα方向の両側に設けられる一対の支持面部７３ａ,７３ｂを含み、各支持面部７３ａ,７３ｂは、β方向に延在する。α方向は、乗客コンベア７０の幅方向に一致し、β方向は、乗客コンベア７０の乗客が進行する進行方向に一致する。
【００５３】
図４にＲで示す領域は、乗客コンベア７０の乗降口領域に一致する。また、図５に示すように、各支持面部７３ａ,７３ｂは、矢印γで示す鉛直方向（乗客コンベア７０の高さ方向）と、α方向とを含む段部７４を介して、人が踏みしめる床面７５に繋がる。乗客コンベア７０が、通常運転されて、人を運んでいる際には、マンホール１のＸ方向の両側端部が、一対の支持面部７３ａ,７３ｂに接触して、一対の支持面部７３ａ,７３ｂから上側の力を受ける。更に詳細には、特に、図４において右側に位置する支持面部７３ｂは、ローラ４３に接触している。乗客コンベア７０が通常運転されて、マンホール１が所定位置に配置されている状態で、鉛直方向から見たときに、ローラ４３の全ては、支持面部７３ｂに重なり、支持面部７３ｂに接触している。マンホール１が所定位置に配置されている状態で、一対の支持面部７３ａ,７３ｂは、Ｙ方向に延在する。
【００５４】
更には、蓋２は、その厚さがＸ方向一方側に行くにしたがって大きくなる肉厚変動部８を有する。肉厚変動部８は、蓋２のＸ方向一方側のみに設けられる。図６は、図１のＢ‐Ｂ線断面図であり、ＹＺ平面に平行であってローラ４３の中心を通過する切断面における断面図である。図６に示すように、肉厚変動部８の肉厚は、Ｙ方向一方側に行くにしたがって徐々に大きくなっている。肉厚変動部８は、Ｚ方向から見たときローラ４３に重なる位置に設けられ、Ｙ方向に延在している。肉厚変動部８は、Ｚ方向から見たとき長尺形状を有する。乗客コンベア７０が通常運転されているとき、ローラ４３は支持面部７３ｂと肉厚変動部８で挟持される。乗客コンベア７０が、通常運転されているときには、マンホール１の表面と床面７５は、鉛直方向において略同じ高さに位置し、面一の状態となっている。
【００５５】
次に、乗客コンベア７０の所定位置に配置されているマンホール１を浮上させる際に用いる治具８０の構造について説明する。図７は、治具８０の正面図である。図７に示すように、治具８０は、正面図において略Ｔ字形状を有する。図７に示すように、治具８０は、一体構造を有し、軸部８１、把手８２、及び２つの柱状部８３を含む。把手８２、及び軸部８１は、丸棒形状を有し、軸部８１は、把手８２の延在方向の中央から把手８２の延在方向に直交する直交方向に延在する。軸部８１は、先端側に雄ねじ８４を有している。また、２つの柱状部８３は、互いに間隔をおいた状態で軸部８１の延在方向に突出している。
【００５６】
上記構成において、乗客コンベア７０の所定位置に配置されているマンホール１を次のように浮上させる。先ず、治具８０の柱状部８３を、蓋２の貫通孔３を通過させた後、ワイヤー巻取体２４のトルク付与部２８の二つの貫通孔２８ａ,２８ｂに差し込む。本実施例では、柱状部８３の先端の厚さ方向の位置が貫通孔２８ａ,２８ｂの開口の厚さ方向の位置と一致している状態で、治具８０の雄ねじ８４が貫通孔３の雌ねじ３ａにＺ方向に間隔をおいて位置する。したがって、治具８０の柱状部８３を貫通孔２８ａ,２８ｂに容易に差し込むことができる。
【００５７】
次に、治具８０の雄ねじ８４を貫通孔３の雌ねじ３ａに螺合させ、把手８２を用いて治具８０の軸部８１を周方向の一方側に回動させる。すると、ワイヤー巻取体２４が周方向一方側に回転して、第１ワイヤー４１がワイヤー巻取体２４に巻き取られ、第２ワイヤー４２がワイヤー巻取体２４から引き出される。そして、第１ワイヤー４１が図１に矢印Ｃで示す方向に移動し、第２ワイヤー４２が図１に矢印Ｄで示す方向に移動する。その結果、ローラ保持具４５が、第１ワイヤー４１によってＹ方向一方側に引っ張られてＹ方向一方側に移動し、それに起因して、ローラ４３もＹ方向一方側に移動する。ここで、本実施例では、上述のように、ローラ保持具４５の一対の外縁部５２ａ,５２ｂが、一対のガイドレール７ａ,７ｂに案内されている。したがって、ローラ保持具４５を、挙動が安定している状態で円滑にＹ方向一方側（一方向一方側）に移動させることができ、その結果、ローラ４３が、挙動が安定している状態で円滑にＹ方向一方側に移動する。
【００５８】
再度、図６を参照して、肉厚変動部８は、ローラ４３が移動可能なＹ方向範囲を含むＹ方向範囲に設けられ、肉厚変動部８の肉厚は、Ｙ方向一方側に移動するにしたがって大きくなっている。したがって、ローラ４３がＹ方向一方側に移動すると、ローラ４３が肉厚変動部８の下面上を肉厚が厚い方に移動することになる。よって、ローラ４３がＹ方向一方側に移動するにしたがって、蓋２が支持面部７３ａ,７３ｂに対して上側に徐々に浮上し、蓋２の下側に隙間が形成される。
【００５９】
本開示によれば、治具８０の柱状部８３を、ワイヤー巻取体２４のトルク付与部２８の二つの貫通孔２８ａ,２８ｂに挿入して、把手８２を回転させるだけで、蓋２を自動的かつ容易に浮上させることができる。更には、治具８０の軸部８１の雄ねじ８４が、蓋２の貫通孔３の雌ねじ３ａに螺合しているので、治具８０とマンホール１で一体のマンホール取外構造（図示せず）を構成できる。したがって、蓋２がある程度、浮上した状態で、把手８２を用いて一人又は複数の作業員でマンホール１を容易に持ち上げることができ、蓋２を容易に取り外しできる。なお、マンホール１を乗客コンベア７０の所定位置に設置する際には、マンホール１を、開口７２を塞ぐように配置した後、治具８０を用いてワイヤー巻取体２４を周方向の他方側に回転させる。このようにすると、ローラ４３が、肉厚変動部８をＹ方向の薄肉側に移動し、マンホール１が所定の設置位置の方に徐々に沈み込む。
【００６０】
以上、マンホール１は、治具８０の先端側を表側から挿通するための貫通孔３を有する板状の蓋２と、蓋２の裏側に配置されて、蓋２の厚さ方向（Ｚ方向）に略一致する方向に延在する中心軸に対して回動可能であるワイヤー巻取体２４を備える。また、ワイヤー巻取体２４は、貫通孔３に挿通された治具８０の先端側からトルクが付与されるトルク付与部２８、第１外周面２７ａ、及び、第１外周面２７ａとＺ方向位置が異なる第２外周面２７ｂを有する。また、マンホール１は、第１外周面２７ａに一方側が巻回された第１ワイヤー４１と、第２外周面２７ｂに一方側が巻回された第２ワイヤー４２と、蓋２の裏側に配置され、第１ワイヤー４１の他方側から第１力が付与されるとＹ方向（一方向）一方側に移動する一方、第２ワイヤー４２の他方側から第２力が付与されるとＹ方向他方側に移動するローラ（移動体）４３を備える。また、蓋２が、厚さがＹ方向一方側に行くにしたがって大きくなる肉厚変動部８を有し、ローラ４３は、第１力又は第２力が付与されると、Ｚ方向から見たときに肉厚変動部８に重なる重なり位置８ａ（図６参照）をＹ方向に移動する。
【００６１】
したがって、治具８０の先端側からワイヤー巻取体２４のトルク付与部２８にトルクを付与することができ、そのトルクの付与で、ワイヤー巻取体２４を周方向における一方側又は他方側に選択的に回転させることができる。そして、ワイヤー巻取体２４の回転に起因する第１ワイヤー４１の巻取でローラ４３に第１力を付与でき、ローラ４３を重なり位置８ａを肉厚変動部８の肉厚が大きくなる方向に移動させることができる。したがって、この移動により、肉厚変動部８を上側に押し上げることができて、蓋２を浮上させることができると共に、蓋２の下側に隙間を生成できる。よって、マンホール１を持ち上げ易くて、マンホール１の取り外し動作の際に指を挟む心配もない。
【００６２】
また、マンホール１において、移動体は、円筒外周面４３ａを有して回転可能なローラ４３でもよい。
【００６３】
上記構成によれば、移動体を回転させることができ、移動体を、重なり位置８ａを一方向に円滑に移動させることができる。よって、付与するトルクが小さくても、移動体を移動させることができるので、マンホール１の取り外しを、労力を使わずに容易に実行できる。
【００６４】
また、ローラ４３は、円筒孔４８を有する円筒形状を有してもよく、マンホール１は、第１枠状部（第１ワイヤー固定部）５５、第２枠状部（第２ワイヤー固定部）６０、及び軸部６５を含んでもよい。また、軸部６５は、ローラ４３の円筒孔４８（図３参照）内に配置される部分を有して、円筒孔４８の中心軸に沿うように延在し、一方側端部（第１端部）５１ｂと他方側端部（第２端部）５１ｃを有してもよい。また、第１枠状部５５は、一方側端部５１ｂに繋がる一方側端部（第３端部）５５ａと、他方側端部５１ｃに繋がる他方側端部（第４端部）５５ｂを有して、マンホール１の裏側をＺ方向から見たとき、ローラ４３のＹ方向一方側をローラ４３に間隔をおいた状態で囲むように配置されてもよい。また、第２枠状部６０は、一方側端部５１ｂに繋がる一方側端部（第５端部）６０ａと、他方側端部５１ｃに繋がる他方側端部（第６端部）６０ｂを有して、マンホール１の裏側をＺ方向から見たとき、ローラ４３のＹ方向他方側をローラ４３に間隔をおいた状態で囲むように配置されてもよい。また、ローラ４３は、軸部５１に対して回動可能になっており、第１ワイヤー４１の他方側が第１枠状部５５に固定されてもよく、第２ワイヤー４２の他方側が第２枠状部６０に固定されてもよい。
【００６５】
上記構成によれば、第１ワイヤー４１及び第２ワイヤー４２で回転可能なローラ４３に第１力及び第２力を付与する構造を簡単安価に実現できる。
【００６６】
また、蓋２が、ローラ４３がＹ方向に移動するようにガイドするガイドレール７ａ,７ｂを裏側に有してもよい。
【００６７】
上記構成によれば、ローラ４３が移動する際の挙動を安定させることができ、ローラ４３を一方向に円滑に移動させることができる。よって、マンホール１の取り外しを、労力を使わずに容易に実行できる。
【００６８】
また、ワイヤー巻取体２４が、Ｚ方向における第１外周面２７ａと第２外周面２７ｂとの間に径方向の外方側に突出するフランジ部２９を有してもよい。
【００６９】
上記構成によれば、フランジ部２９で第１外周面２７ａと第２外周面２７ｂとの間を区切ることができ、第１外周面２７ａと第２外周面２７ｂを分離することができる。よって、第１ワイヤー４１と第２ワイヤー４２の一方をワイヤー巻取体２４に巻き取り、第１ワイヤー４１と第２ワイヤー４２の他方をワイヤー巻取体２４から引き出す際に、第１ワイヤー４１と第２ワイヤー４２が絡まることを抑制できるか、又は防止できる。
【００７０】
また、マンホール１は、蓋２の裏側に配置されて、Ｚ方向に略一致する方向に延在する中心軸に対して回動可能であり、第１ワイヤー４１が接触する外周面（第３外周面）４６ａ（図１参照）を有する第１プーリ４６を備えてもよい。また、マンホール１は、蓋２の裏側に配置されて、Ｚ方向に略一致する方向に延在する中心軸に対して回動可能であり、第２ワイヤー４２が接触する外周面（第４外周面）４７ａ（図１参照）を有する第２プーリ４７を備えてもよい。
【００７１】
上記構成によれば、第１ワイヤー４１に負担を掛けずに、第１ワイヤー４１でワイヤー巻取体２４とローラ４３の周辺を繋ぐことができる。よって、第１ワイヤー４１の損傷を抑制でき、第１ワイヤー４１の耐久性を向上させることができる。また、同様に、第２ワイヤー４２に負担を掛けずに、第２ワイヤー４２でワイヤー巻取体２４とローラ４３の周辺を繋ぐことができる。よって、第２ワイヤー４２の損傷を抑制でき、第２ワイヤー４２の耐久性を向上させることができる。
【００７２】
また、本開示に係る乗客コンベア７０は、本開示に係るマンホール１と、乗客コンベア本体７１を備える。また、乗客コンベア本体７１は、開口７２の縁の少なくとも一部に沿うようにＹ方向に延在し、ローラ４３が接触することでローラ４３に上側の力を付与する支持面部７３ｂを有してもよい。
【００７３】
本開示によれば、マンホール１を持ち上げ易くて、マンホール１の取り外し動作の際に指を挟む心配もない乗客コンベア７０を実現できる。
【００７４】
また、本開示に係る治具８０は、把手８２、一方側が把手８２に繋がると共に、他方側に雄ねじを有する軸部８１、及び、軸部８１における他方側の先端部から互いに間隔をおいて軸部８１の延在方向に突出する複数の柱状部８３を備える。
【００７５】
本開示によれば、複数の柱状部８３を用いてマンホール１のトルク付与部２８にトルクを付与できる治具８０を簡単安価に形成できる。
【００７６】
また、本開示に係るマンホール取外構造は、本開示に係るマンホール１と、本開示に係る治具８０と、を備えてもよい。また、マンホール１の貫通孔３は、雌ねじ３ａを有してもよく、トルク付与部２８は、ワイヤー巻取体２４のＺ方向の表側に設けられて複数の柱状部８３が挿入される複数の貫通孔（柱状部挿入孔）２８ａ,２８ｂを含んでもよい。そして、柱状部８３の先端のＺ方向の位置が貫通孔２８ａ,２８ｂの開口のＺ方向の位置と一致している状態で、治具８０の雄ねじ８４が雌ねじ３ａにＺ方向に間隔をおいて位置してもよい。
【００７７】
本開示によれば、柱状部８３がトルク付与部２８の貫通孔２８ａ,２８ｂに挿入された後に、治具８０の雄ねじ８４を雌ねじ３ａに螺合させることができる。したがって、柱状部８３がトルク付与部２８の貫通孔２８ａ,２８ｂにうまく入らないことを防止でき、複数の柱状部８３をトルク付与部２８に容易に接続できる。
【００７８】
なお、本発明は、上記実施形態およびその変形例に限定されるものではなく、本願の特許請求の範囲に記載された事項およびその均等な範囲において種々の改良や変更が可能である。
【００７９】
例えば、上記実施形態では、マンホール１が、回動可能な２つのプーリ４６,４７を有する場合について説明した。しかし、２つのプーリのうちの少なくとも一方は、マンホールの蓋から裏側に突出する円柱状のピンに取り換えられてもよく、製造コストを低減してもよい。但し、ピンを採用すると、アールがきつくなって、ワイヤーに負担がかかる虞が生じるため、ワイヤーの耐久性の面からは、プーリを採用する方が好ましい。
【００８０】
また、ローラ４３がローラ保持具４５で回動可能に保持される場合について説明した。しかし、ローラはローラ保持具に回動不可能に保持されてもよく、例えば、転がり軸受やすべり軸受を用いずにローラ保持具の軸部をローラの貫通孔に圧入する構成でもよい。又は、マンホールは、ローラ保持具を有さなくてもよく、例えば、ワイヤーを固定可能な２つのワイヤー固定部、例えば、２つのフックや２つのワッカ等を、移動体に設けてもよい。
【００８１】
また、移動体が、ローラ４３である場合について説明したが、移動体は、楔等のローラ以外の部材でもよい。
【００８２】
また、マンホール１が蓋２の裏側に一方向に延在する一対のガイドレール７ａ,７ｂを有する場合について説明したが、マンホールは蓋の裏側にガイドレールを有さなくてもよい。
【００８３】
また、ワイヤー巻取体２４が、Ｚ方向における第１外周面２７ａと第２外周面２７ｂとの間に径方向の外方側に突出するフランジ部２９を有する場合について説明した。しかし、ワイヤー巻取体は、厚さ方向における第１外周面と第２外周面との間に径方向の外方側に突出するフランジ部を有さなくてもよい。
【００８４】
また、治具８０が雄ねじ８４を有する場合について説明したが、治具は雄ねじを有さなくてもよい。この場合でも、トルク付与部にトルクを採用させることで、マンホールを浮上させることができる。
【００８５】
また、治具８０が２つの柱状部８３を有する場合について説明した。しかし、治具は、互いに間隔をおいて配置される３以上の柱状部を有してもよく、対応するワイヤー巻取体の柱状部挿入孔の数も３以上でもよい。
【００８６】
また、治具８０が、Ｔ字形状の把手８２を有する場合について説明したが、治具は、Ｌ字状の把手を有してもよい。
【００８７】
また、柱状部８３の先端のＺ方向の位置が貫通孔２８ａ,２８ｂの開口のＺ方向の位置と一致している状態で、治具８０の雄ねじ８４が雌ねじ３ａにＺ方向に間隔をおいて位置する場合について説明し、柱状部８３をトルク付与部２８の貫通孔（柱状部挿入孔）２８ａ,２８ｂに挿入してから、治具８０の雄ねじ８４を雌ねじ３ａに螺合する場合について説明した。しかし、治具の雄ねじがマンホールの雌ねじに螺合した後に、柱状部をトルク付与部の柱状部挿入孔に挿入する構成でもよい。
【００８８】
また、移動体が一方向の一方側に移動する際にマンホールを浮上させる傾斜面の構造は、マンホールでなくて、乗客コンベア本体においてマンホールを支えるマンホール支持面に存在してもよい。
【００８９】
より詳しくは、本開示に係る別の態様の乗客コンベアは、マンホールと、開口の縁の少なくとも一部に沿うように延在してマンホールを支持するマンホール支持面を有する乗客コンベア本体とを備える乗客コンベアでもよい。また、マンホールは、治具の先端側を表側から挿通するための貫通孔を有する板状の蓋と、ワイヤー巻取体を備え、ワイヤー巻取体が、蓋の裏側に配置されて蓋の厚さ方向に略一致する方向に延在する中心軸に対して回動可能でもよい。また、ワイヤー巻取体は、貫通孔に挿通された冶具の先端側からトルクが付与されるトルク付与部、第１外周面、及び第１外周面と厚さ方向の位置が異なる第２外周面を有してもよい。また、マンホールは、第１外周面に一方側が巻回された第１ワイヤーと、第２外周面に一方側が巻回された第２ワイヤーと、蓋の裏面側に配置され、第１ワイヤーの他方側から第１力が付与されると一方向の一方側に移動する一方、第２ワイヤーの他方側から第２力が付与されると一方向の他方側に移動する移動体を備えてもよい。また、マンホール支持面が、一方向に延在して一方向の一方側に行くにしたがって上側に移動する傾斜面部を有して、移動体は、第１力又は第２力が付与されると、厚さ方向から見たときに傾斜面部に重なる重なり位置を一方向に移動してもよい。
【００９０】
本開示によれば、乗客コンベア本体においてマンホールを支えるマンホール支持面が、一方向の一方側に行くにしたがって上側に移動する傾斜面部を有し、移動体が、マンホールの厚さ方向から見たときに傾斜面部に重なる重なり位置を移動できる。したがって、移動体の移動でマンホールを上側に押し上げることができ、マンホールを浮上させることができる。
【００９１】
また、治具８０の雄ねじ８４が螺合する雌ねじ３ａを、マンホール１の蓋２の貫通孔３に設ける場合について説明した。しかし、治具の雄ねじが螺合する雌ねじを、マンホールの蓋の裏面から裏側に突出する突出部に設けてもよい。
【００９２】
詳しくは、本開示のマンホール取外構造は、本開示のマンホール、本開示の治具、及び、マンホールの蓋の裏面から裏側に突出すると共に貫通孔に繋がって厚さ方向に延在する巻取体側貫通孔を有する突出部を備えてもよい。また、巻取体貫通孔が、雌ねじを有し、トルク付与部が、ワイヤー巻取体の厚さ方向の表側に設けられて複数の柱状部が挿入される複数の柱状部挿入孔を含んでもよい。そして、柱状部の先端の厚さ方向の位置が柱状部挿入孔の開口の厚さ方向の位置と一致している状態で、治具の雄ねじが雌ねじに厚さ方向に間隔をおいて位置してもよい。
【００９３】
本構成によれば、図８、すなわち、変形例のマンホール１０１の一部を、Ｚ方向を含む平面で切断したときの模式断面図に示すように、マンホール１０１の蓋１０２の裏面１０２ａにナット１０３を溶接等を用いて接合することで、巻取体側貫通孔１０４を有する突出部１０５を簡単安価に形成できる。したがって、図示しないトルク付与部と巻取体側貫通孔１０４の雌ねじ１０４ａとのＺ方向距離を、簡単安価に調整できる。
【符号の説明】
【００９４】
１,１０１  マンホール、  ２,１０２  蓋、  ３  蓋の貫通孔、  ３ａ  雌ねじ、  ７ａ,７ｂ  ガイドレール、  ８  肉厚変動部、  ８ａ  重なり位置、  ２４  ワイヤー巻取体、  ２７ａ  第１外周面、  ２７ｂ  第２外周面、  ２８  トルク付与部、  ２８ａ,２８ｂ  貫通孔（柱状部挿入孔）、  ２９  フランジ部、  ４１  第１ワイヤー、  ４２  第２ワイヤー、  ４３  ローラ、  ４３ａ  ローラの円筒外周面、  ４６  第１プーリ、  ４６ａ  第１プーリの外周面（第３外周面）、  ４７  第２プーリ、  ４７ａ  第２プーリの外周面（第４外周面）、  ４８  ローラの円筒孔、  ５１ｂ  一方側端部（第１端部）、  ５１ｃ  他方側端部（第２端部）、  ５５  第１枠状部、  ５５ａ  一方側端部（第３端部）、  ５５ｂ  他方側端部（第４端部）、  ６０  第２枠状部、  ６０ａ  一方側端部（第５端部）、  ６０ｂ  他方側端部（第６端部）、  ６５  軸部、  ７０  乗客コンベア、  ７１  乗客コンベア本体、  ７２  乗客コンベア本体の開口、  ７３ｂ  支持面部、  ８０  治具、  ８１  治具の軸部、  ８２  把手、  ８３  柱状部、  ８４  治具の軸部の雄ねじ、  １０２ａ  マンホールの裏面、  １０４  巻取体側貫通孔、  １０４ａ  巻取体側貫通孔の雌ねじ、  １０５  突出部、  Ｘ方向  マンホールの長手方向、  Ｙ方向  マンホールの幅方向、  Ｚ方向  マンホールの厚さ方向。
【図１】
2020111407.tif 000003
【図２】
2020111407.tif 000004
【図３】
2020111407.tif 000005
【図４】
2020111407.tif 000006
【図５】
2020111407.tif 000007
【図６】
2020111407.tif 000008
【図７】
2020111407.tif 000009
【図８】
2020111407.tif 000010